(57)【要約】【課題】揮散剤の成分に拘らずフックの材料を自由に選択することができ、その上、インジケータをフックに隣接して設けてもなお、組立て作業が容易であるとともに、容器が大型化することのない吊り下げ式揮散剤用容器を提案する。【解決手段】吊り下げ式揮散剤用容器１は、容器本体３と容器本体３を吊り下げ保持するフック５とインジケータ７とを備える。容器本体３は、揮散剤Ｓを内側に保持するする内装体９と、内装体９とは異なる材料にてフック５と一体に形成され、相互に合わさって内側に内装体９を保持する、一対の外装体半部２８，２９からなる外装体１と、から構成される。インジケータ７は、インジケータ本体５０と、内装体９と同材料にてインジケータ本体５０の周縁部にインサート成形により一体化された縁体５２であり、フック５の基端部５ａの後方側の部分５ａ１に案内され係止される係止部５４，５５を有する縁体５２と、から構成される。【選択図】図１
2012229049.tif 000002
【特許請求の範囲】
【請求項１】
シート状の揮散剤を、該揮散剤から揮散した薬剤を外部に放出可能に収容、保持する容器本体と、前記容器本体を吊り下げ保持するフックと、前記揮散剤の残量の目安を示すインジケータと、を備える吊り下げ式揮散剤用容器であって、
前記容器本体は、前記揮散剤を内側に保持するとともに、内側に保持した該揮散剤から揮散した薬剤を通過させる揮散窓を有する内装体と、前記内装体とは異なる材料にて前記フックと一体に形成され、相互に合わさって内側に前記内装体を保持する収納空間を形成するとともに前記揮散窓を通じて放出された薬剤を前記外部に放出させる揮散開口を有する一対の外装体半部からなる外装体と、から構成され、
前記インジケータは、インジケータ本体と、前記内装体と同材料にて前記インジケータ本体の周縁部にインサート成形により一体化された縁体であって、前記フックの基端部から先端部に向かう方向を前方側としたときの、該基端部の後方側の部分に案内され係止される係止部を有する縁体と、から構成されることを特徴とする吊り下げ式揮散剤用容器。
【請求項２】
前記基端部の後方側の前記部分に、前記係止部を抜け止め保持するストッパを設けてなる、請求項１に記載の吊り下げ式揮散剤用容器。
【請求項３】
前記内装体及び前記縁体をポリエチレンテレフタレートで形成するとともに、前記外装体及び前記フックをポリプロポレン又はポリエチレンで形成してなる、請求項１又は２に記載の吊り下げ式揮散剤用容器。
【請求項４】
前記インジケータを、その表示部が後方側を指向するよう前記フックの延在する面に対して直交して配置してなる、請求項１〜３の何れか一項に記載の吊り下げ式揮散剤用容器。
【発明の詳細な説明】
【技術分野】
【０００１】
本発明は、揮散剤を収容し、洋服ダンスやクローゼット等のバーに吊り下げて使用する吊り下げ式揮散剤用容器に関するものであり、とくに、揮散剤の残量の目安となるインジケータが設けられたものに関する。
【背景技術】
【０００２】
従来、衣類用の防虫剤容器等の吊り下げ式の揮散剤用容器としては、例えば特許文献１に提案されており、このものは、容器内側に収容する揮散剤として、防虫成分を有する薬剤を含浸させたシート（防虫シート）を用いるとともに、上部に一体連結したフックにより、洋服ダンスやクローゼット等のバーにハンガーに掛けられた衣類等とともに直接吊り下げられるようにしたものである。
【０００３】
ところで、揮散剤用容器を構成する材料によっては、殺虫剤等の有効成分が吸収されてしまい、しかも一旦吸収された有効成分はほとんど揮発しないことから、有効成分が減少するという問題があり、これを改善するため、特許文献２には、有効成分を吸収しない材料を用いてフックを含む容器全体を形成することが提案されている。
【先行技術文献】
【特許文献】
【０００４】
【特許文献１】特開２００５−３３３９４３号公報
【特許文献２】特許第３８７２１９５号公報
【発明の概要】
【発明が解決しようとする課題】
【０００５】
このように、容器による揮散剤の有効成分の吸収を防止しようとすると、揮散剤の成分によって使用できる材料に制限が生じることとなるが、揮散剤に直接触れることのないフックについては、柔軟性や耐久性等を考慮して、揮散剤の成分に拘らず材料を自由に選択できるようにすることが望ましい。また、インジケータは、視認性の観点からフックに隣接して設けることが良いが、インジケータも揮散剤と同様の成分を含有することから、フックにインジケータ用の格納部を一体に設けてこの格納部内にインジケータを納めるようにすると、上記同様、フックの材料に制限が生じるため、インジケータを格納するケースを別部材としてフックに装着せざるを得ない。こうすると、インジケータをフックとは異材料で形成されたケースに入れ、さらにそのケースをフックに取り付ける作業が必要であり、組立て作業が煩雑となるとともに、ケースを別途に設ける分容器が大型化してしまうという問題がある。
【０００６】
それゆえ、本発明は、揮散剤の成分に拘らずフックの材料を自由に選択することができ、その上、インジケータをフックに隣接して設けてもなお、組立て作業が容易であるとともに、容器が大型化することのない吊り下げ式揮散剤用容器を提案することを目的とする。
【課題を解決するための手段】
【０００７】
本発明は、上記課題を解決するためになされたものであり、本発明の吊り下げ式揮散剤用容器は、シート状の揮散剤を、該揮散剤から揮散した薬剤を外部に放出可能に収容、保持する容器本体と、前記容器本体を吊り下げ保持するフックと、前記揮散剤の残量の目安を示すインジケータと、を備える吊り下げ式揮散剤用容器であって、前記容器本体は、前記揮散剤を内側に保持するとともに、内側に保持した該揮散剤から揮散した薬剤を通過させる揮散窓を有する内装体と、前記内装体とは異なる材料にて前記フックと一体に形成され、相互に合わさって内側に前記内装体を保持する収納空間を形成するとともに前記揮散窓を通じて放出された薬剤を前記外部に放出させる揮散開口を有する一対の外装体半部からなる外装体と、から構成され、前記インジケータは、インジケータ本体と、前記内装体と同材料にて前記インジケータ本体の周縁部にインサート成形により一体化された縁体であって、前記フックの基端部から先端部に向かう方向を前方側としたときの、該基端部の後方側の部分に案内され係止される係止部を有する縁体と、から構成されることを特徴とするものである。
【発明の効果】
【０００８】
本発明の吊り下げ式揮散剤用容器によれば、容器本体を揮散剤を収納する内装体とこの内装体を収納する外装体とにより構成するとともに、フックを外装体に一体に成形したことから、揮散剤の成分に拘らずフックの材料を自由に選択することが可能である。また、インジケータを、インジケータ本体と、インジケータ本体の周縁部に内装体と同材料にてインサート成形により一体化され、フックの後方側の部分に案内、係止される縁体とで構成したことから、インジケータをフックに隣接して設けてもなお、インジケータを格納するためのケースを不要とし、その組立てを容易に行うことができるとともに揮散剤用容器の大型化を避けることができる。
【０００９】
なお、本発明の吊り下げ式揮散剤用容器にあっては、前記基端部の後方側の前記部分に、前記係止部を抜け止め保持するストッパを設けることが好ましく、これによれば、インジケータがフックの後端部から脱落するのを防止することができる。
【００１０】
また、本発明の吊り下げ式揮散剤用容器にあっては、前記内装体及び前記縁体をポリエチレンテレフタレートで形成するとともに、前記外装体及び前記フックをポリプロポレン又はポリエチレンで形成することが好ましく、これによれば、防虫効果のある常温揮散性のピレスロイドを有効成分として含有する揮散剤及びインジケータを用いた場合においても、揮散剤用容器による有効成分の吸収、減少を抑制しつつ、フックの耐久性を向上させることができる。
【００１１】
しかも、本発明の吊り下げ式揮散剤用容器にあっては、前記インジケータを、その表示部が後方側を指向するよう前記フックの延在する面に対して直交して配置することが好ましく、これによれば、揮散剤用容器を洋服ダンス等のバーから取り外したり、吊り下げられた衣類を横にずらしたりすることなしに、インジケータを容易に視認することができる。
【図面の簡単な説明】
【００１２】
【図１】本発明の一実施形態の吊り下げ式揮散剤用容器の外観を示し、（ａ）は側面図、（ｂ）は平面図である。
【図２】図１（ａ）中のＡ−Ａ線に沿う断面図である。
【図３】図１の吊り下げ式揮散剤用容器に用いられる内装体を展開した状態で示す平面図である。
【図４】（ａ）は図３の内装体を折り畳んだ状態で示す平面図であり、（ｂ）は図４（ａ）中のＢ−Ｂ線に沿う断面図である。
【図５】図１の吊り下げ式揮散剤用容器に用いられる外装体を展開した状態で示す平面図である。
【図６】図５中のＣ−Ｃ線に沿う断面図である。
【図７】図５の外装体を折り畳んだ状態で示す平面図である。
【図８】図１の吊り下げ式揮散剤用容器に用いられるインジケータを示しており、（ａ）は正面図、（ｂ）は図８（ａ）中のＤ−Ｄ線に沿う断面図、（ｃ）は平面図である。
【図９】図１の吊り下げ式揮散剤用容器において、フックの基端部の後方側の部分にインジケータを差し込む様子を示した側面図である。
【発明を実施するための形態】
【００１３】
以下、本発明の実施の形態を図面を参照しながら詳細に説明する。
【００１４】
図１（ａ），（ｂ）に示すように、本実施形態の吊り下げ式揮散剤用容器（以下、単に「揮散剤用容器」という。）１は、防虫成分や芳香成分、消臭成分等を有する薬剤が含浸された矩形シート状（板状）の揮散剤Ｓを内部に収納、保持するとともに該薬剤を外部に放出させる容器本体３と、この容器本体３を洋服ダンスやクローゼット等のバー（図示省略）に吊り下げるフック５と、上記揮散剤Ｓに含浸された薬剤の残量の目安を示すインジケータ７と、を備えて構成される。なお、本明細書において、「上方」または「上」とは揮散剤用容器１を吊り下げた際に容器本体３からみてフック５の位置する方向を指し、「下方」または「下」とは、該上方とは反対の方向を指し、「前方」または「前」とは、フック５の基端部５ａから先端部５ｂに向かう方向を指し、「後方」または「後」とは、該前方とは反対の方向を指すものとする。
【００１５】
以下、これらの各構成部材の詳細を説明するに、先ず、容器本体３は、図２に示すように、上記揮散剤Ｓを内側に保持する内装体９と、該内装体９とは異なる材料にて上記フック５と一体に形成され、相互に合わさって内側に、上記内装体９を保持する収納空間を形成する外装体１１とからなる内外二重の構造を有する。
【００１６】
内装体は、図３及び図４に示すように、各々樹脂製の薄肉シートで形成された、相互に合わさって内側に上記揮散剤Ｓを保持する収納空間を形成する一対の内装体半部１３，１４からなり、各内装体半部１３，１４は、揮散剤Ｓから揮散した薬剤を通過させるための複数（ここでは各３つ）の円形の揮散窓１６を形成する略矩形皿状の側壁部１８，１９と、該側壁部１８，１９の周縁に延びるフランジ部２１，２２であって、上記一対の内装体半部１３，１４が合わさった際に他方の内装体半部１３，１４のフランジ部２１，２２と重ね合わさるフランジ部２１，２２とを有する。
【００１７】
また、各側壁部１８，１９の内面には、対向する側壁部１８，１９に向けて突出する隆起部２４であって、対向する隆起部２４との間に上記揮散剤Ｓを狭持する隆起部２４が複数（この例では各４つ）設けられている。また、この図示例では、一対の内装体半部１３，１４は、その下端にてヒンジ２６を介して折り畳み可能に連結されている。また、この例では、内装体の材質はＰＥＴ（ポリエチレンテレフタレート）としているがこれ以外の材料を用いて形成してもよく、また、隆起部２４の位置、個数等も図示例に限定されない。
【００１８】
一方、外装体１１は、図５及び図６に示すように、相互に合わさって内側に上記内装体９を保持する収納空間を形成する一対の外装体半部２８，２９からなり、各外装体半部２８，２９は、内装体９の揮散窓１６を通じて放出された薬剤を外部に放出するための複数（ここでは各４つ）の揮散開口３１を形成する略矩形で平坦な側壁部３３，３４と、該側壁部３３，３４の周縁から立ち上がる周壁部３６，３７であって上記一対の外装体半部２８，２９が合わさった際に先端が他方の外装体半部２８，２９の周壁部３６，３７の先端と突き合わさる周壁部３６，３７とを有する。
【００１９】
また、一方の側壁部３３の、周壁部３６と揮散開口３１との間には、内側にボス穴を形成する複数（ここでは８つ）の筒状部３８が設けられており、対向する他方の側壁部３４には、上記筒状部３８に対応する位置に設けられ、一対の外装体半部２８，２９を合わせた際にボス穴内に嵌入される複数のピン３９が設けられている。また、一対の外装体半部２８，２９はそれらの下端位置にてヒンジ４０を介して互いに連結されている。これにより、一対の外装体半部２８，２９をヒンジ４０を介して揺動させて合わせると、つまり一対の外装体半部２８，２９の周壁部３６，３７の先端を互いに突き合わせると、ピン３９がボス穴に入り込んで筒状部３８に係止され、容器本体３を閉姿勢に維持することができる。なお、この例では、外装体１１の材質はポリプロポレン（ＰＰ）としているがこれに限定されず、ポリエチレン（ＰＥ）等の他のポリオレフィン系樹脂にて形成してもよい。また、一対の外装体半部２８，２９の係止構造やボス穴、ピン３９の位置、個数等も図示例に限定されない。
【００２０】
次に、フック５は、図５及び図６に示すように、外装体１１の延在面と平行な面で延び、弧状を呈するとともに一方の外装体半部２８の上部に一体に形成されたフック本体４１と、他方の外装体半部２９の上部に一体に形成され、これらの一対の外装体半部２８，２９が合わさった際にフック本体４１と合わさるとともにフック本体４１の後方側の部分と協働して、フック５の基端部５ａの後方側の部分５ａ１を形成する補助片４３とからなる。フック本体４１と補助片４３とは、フック本体４１の後方側の部分から突出するピン４１ａが、補助片４３の、該ピン４１ａに対応する位置に設けられた嵌合孔４３ａに嵌入されることで互いに係止される。
【００２１】
また、図７に示すように、フック５の基端部５ａの後方側の部分５ａ１には、上下方向に直線状に延び後述するインジケータ７のあり溝状の係止部５４，５５を上下にスライド可能に係止する凸形部４５が形成されている。さらに、この例では、フック本体４１の後方側の部分及び補助片４３の後方側の部分にはそれぞれ、上記一対の外装体半部２８，２９が合わさった際に、インジケータ７の上記係止部５４，５５を抜け止め保持するストッパ４７（図１参照）を形成する一対の爪部４７ａ，４７ｂが形成されている。なお、この爪部４７ａ，４７ｂは、フック本体４１及び補助片４３のうち何れか一方にのみ設けてもよい。また、図示しないが、フック５は、外装体半部２８，２９と同様に、外装体半部２８，２９を合わせた際に重なって一つのフック５を形成する一対のフック半部より構成するようにしてもよく、この場合、各フック半部は、一対の外装体半部２８，２９にそれぞれ一体に形成することができる。
【００２２】
そして、インジケータ７は、図８（ａ）〜（ｃ）に示すように、不織布等の吸収体からなるシート状のインジケータ本体５０と、該インジケータ本体５０の周縁部にインサート成形により一体化された縁体５２とからなる。縁体５２は、内装体９と同材料、すなわちここでは、ＰＥＴ樹脂により形成されている。また、縁体５２の、フック５と対向する面には、フック５の基端部５ａの後方側の部分５ａ１に設けられた凸形部４５に上下方向に案内され、係止されるあり溝状の係止部５４，５５が上下一対設けられている。また、インジケータ７は、その表示部（インジケータ７の、係止部５４，５５が設けられた側とは反対側の面）が後方側を指向するようフック５の延在する面に対して直交して配置されている。
【００２３】
次に、上記のように構成される揮散剤用容器１の組み立て、使用方法について説明する。先ず、図４（ａ），（ｂ）に示すように、一対の内装体半部１３，１４の隆起部２４の相互間にシート状の揮散剤Ｓを挟み込むようにして一対の内装体半部１３，１４を合わせて内装体９とした後、図５に示すように、一方の外装体半部２８の側壁部３３の内面上に該内装体９を設置する。そして、他方の外装体半部２９をヒンジ４０を介して揺動させて上記一方の外装体半部２８に被せるとともに、ピン３９を筒状部３８の内側に形成されたボス穴に嵌入する。これにより、容器本体３を閉姿勢とし、容器本体３内に揮散剤Ｓを保持することができる。
【００２４】
次いで、図９に示すように、インジケータ７を、その係止部５４，５５をフック５の基端部５ａの後方側の部分５ａ１に形成された凸形部４５に係合させるようにして上方から挿入する。インジケータ７はその下端が容器本体３の上端に当接して止まり、このとき、フック５の基端部５ａの後方側の部分５ａ１に形成された、一対の爪部４７ａ，４７ｂからなるストッパ４７がインジケータ７の下側の係止部５５に引っかかるので、インジケータ７は、フック５の凸形部４５に抜け止め保持される。
【００２５】
なお、インジケータ本体５０への薬剤の含浸は、インジケータ本体５０に縁体５２をインサート成形した後に行うのが好ましく、インサート成形後であれば、フック５の基端部５ａの後方側の部分５ａ１に差し込む前でも差し込んだ後であってもどちらでもよい。このようにして使用準備が整った後には、揮散剤用容器１のフック５を洋服ダンスやクローゼットのバーに吊り下げることで容器本体３内の揮散剤Ｓの薬剤を内装体９の揮散窓１６及び外装体１１の揮散開口３１を通して揮散させることができる。そして、揮散剤Ｓに含浸された薬剤の残量を確認する際には、フック５の基端部５ａの後方側（確認者からみて手前側）に位置し、確認者の方を向いて配置されたインジケータ７により確認することができる。
【００２６】
したがって、この揮散剤用容器１によれば、容器本体３を揮散剤Ｓを収納する内装体９とこの内装体９を収納する外装体１１とにより構成するとともに、フック５を外装体１１に一体に成形したことから、揮散剤Ｓの成分に拘らずフック５の材料を自由に選択することが可能である。また、インジケータ７を、インジケータ本体５０と、インジケータ本体５０の周縁部に内装体９と同材料にてインサート成形により一体化され、フック５の後方側の部分に案内、係止される縁体５２とで構成したことから、インジケータ７をフック５に隣接して設けてもなお、インジケータ７を格納するためのケースを不要とし、その組立てを容易に行うことができるとともに揮散剤用容器１の大型化を避けることができる。
【００２７】
また、本実施形態では、内装体９及びインジケータ７の縁体５２をＰＥＴ樹脂から形成するとともに、外装体１１及びフック５をＰＰ樹脂から形成したことにより、例えば、防虫効果のある常温揮散性のピレスロイドを有効成分として含有する揮散剤Ｓ及びインジケータ７を用いた場合においても、揮散剤用容器１による有効成分の吸収、減少を抑制しつつ、フック５の耐久性を向上させることができる。なぜなら、ＰＥＴ樹脂はピレスロイドを吸収し難いという性質を有し、ＰＰ樹脂はＰＥＴ樹脂に比べて柔軟性に優れるからである。
【００２８】
さらに、本実施形態では、インジケータ７を、その表示部が後方側を指向するようフック５の延在する面に対して直交して配置していることから、揮散剤用容器１を洋服ダンス等のバーから取り外したり、吊り下げられた衣類を横にずらしたりすることなしに、インジケータ７を容易に視認することができる。
【産業上の利用可能性】
【００２９】
かくして、本発明により、揮散剤の成分に拘らずフックの材料を自由に選択することができ、その上、インジケータをフックに隣接して設けてもなお、組立て作業が容易であるとともに、容器が大型化することのない吊り下げ式揮散剤用容器を提案することが可能となった。
【符号の説明】
【００３０】
１  吊り下げ式揮散剤用容器
３  容器本体
５  フック
５ａ  フックの基端部
５ａ１  フックの基端部の後方側の部分
５ｂ  フックの先端部
７  インジケータ
９  内装体
１１  外装体
１３，１４  内装体半部
１６  揮散窓
２４  隆起部
２８，２９  外装体半部
３１  揮散開口
４５  凸形部
４７  ストッパ
４７ａ,４７ｂ  爪部
５０  インジケータ本体
５２  縁部
５４，５５  係止部
【図１】
2012229049.tif 000003
【図２】
2012229049.tif 000004
【図３】
2012229049.tif 000005
【図４】
2012229049.tif 000006
【図５】
2012229049.tif 000007
【図６】
2012229049.tif 000008
【図７】
2012229049.tif 000009
【図８】
2012229049.tif 000010
【図９】
2012229049.tif 000011